(57)【要約】【課題】  物品収納ケースを大きくしたり収納物品を小形としたりすることなく収納物品と取付け具の差込み係止部との接触を無くし、収納物品が損傷することが無く、収納物品の取り出しの際の動作が支障なく行われる物品収納ケースの取付け具を提供する。【解決手段】  略直方体形状の物品収納ケース１２に係止され、物品収納ケース１２の被取付け面への取付けに使用される物品収納ケース１２の取付け具１であって、物品収納ケース１２への差込み係止部７が、物品収納ケース１２の内面であって、かつ長辺側の稜線部近傍の面と収納物品２０の外周とによって形成される空間内に位置する物品収納ケースの取付け具。【選択図】  図３
0003189030.tif 000002
【実用新案登録請求の範囲】
【請求項１】
略直方体形状の物品収納ケースに係止され、前記物品収納ケースの被取付け面への取付けに使用される物品収納ケースの取付け具であって、
前記物品収納ケースへの差込み係止部が、前記物品収納ケースの内面であって、かつ長辺側の稜線部近傍の面と収納物品の外周とによって形成される空間内に位置することを特徴とする物品収納ケースの取付け具。
【請求項２】
略直方体形状の物品収納ケースに係止され、前記物品収納ケースの被取付け面への取付けに使用される物品収納ケースの取付け具であって、
前記物品収納ケースへの差込み係止部が、前記物品収納ケースの構成部材の重ね部の間に差し込み係止されるものであることを特徴とする物品収納ケースの取付け具。
【請求項３】
前記物品収納ケースがロール体収納ケースである請求項１または２記載の物品収納ケースの取付け具。
【考案の詳細な説明】
【技術分野】
【０００１】
この考案は、ラップケース等の各種物品収納ケースの取付け具に関する。
【背景技術】
【０００２】
厨房において、ラップケースはラップの使用場所に近い壁面等に取付けられることで便利に使用される。その取付けは、例えば、ラップケースの底面部の外面に取付け具が装着され、その取付け具が壁面等に適宜の取付け構造により取付けられることで行われる。上記取付け具としては、バー形態で両端に差込み係止部を備え、その差込み係止部がラップケースの底面部に設けられた係止孔それぞれに係止されて装着されるものが提供されている。（特許文献１）。
【先行技術文献】
【特許文献】
【０００３】
【特許文献１】特開２００２−３６９７６７号
【考案の概要】
【考案が解決しようとする課題】
【０００４】
ラップケースの場合、内部のラップフィルムはロール状とされた形態で収納されており（図３参照）、ラップフィルムの使用開始時期においてはその径が大きく、ラップフィルムの後側がケースの底面部に近接して位置する。したがって、ラップフィルムの後側が底面部に差し込み係止される取付け具の差込み係止部の端部に接触してラップフィルムが損傷し、また、ラップフィルムの取り出しの際の回転に支障が生じる場合があった。ラップフィルムの後側が取付け具の差込み係止部の端部に接触しないように、ラップケースを大きくしたり、ラップフィルムの径を小さくしたりすることは、外形が大きくなり、また、ラップフィルムの巻き量が少なくなるので、製品上好ましくなかった。
【課題を解決するための手段】
【０００５】
この考案は上記の事情に鑑みて行ったもので、物品収納ケース大きくしたり収納物品を小形としたりすることなく収納物品と取付け具の差込み係止部との接触を無くし、収納物品が損傷することがないとともに、収納物品の取り出しの際の動作が支障なく行われる物品収納ケースの取付け具を提供することを目的とする。
【０００６】
この考案（請求項１）は、略直方体形状の物品収納ケースに係止され、前記物品収納ケースの被取付け面への取付けに使用される物品収納ケースの取付け具であって、前記物品収納ケースへの差込み係止部が、前記物品収納ケースの内面であって、かつ長辺側の稜線部近傍の面と収納物品の外周とによって形成される空間内に位置することを特徴とする物品収納ケースの取付け具を提供する。以下、「物品収納ケースの取付け具」を「取付け具」と略称する。
【０００７】
上記構成の取付け具は、装着時において物品収納ケース内に差し込まれた差込み係止部が、物品収納ケースの内面であって、かつ長辺側の稜線部近傍の面と収納物品の外周とによって形成される空間内に位置するので、収納物品が差込み係止部に接触することがなく、収納物品が損傷することがないとともに、収納物品の取り出しの際の動作も支障なく行われる。
【０００８】
さらに、この考案（請求項２）は、物品収納ケースに係止されて装着され、物品収納ケースの被取付け面への取付けに使用される取付け具であり、物品収納ケースへの差込み係止部が、物品収納ケースの構成部材の重ね部の間に差し込み係止されるものであることを特徴とする物品収納ケースの取付け具を提供する。
【０００９】
上記構成の取付け具は、物品収納ケースへの差込み係止部が、物品収納ケースの構成部材の重ね部の間に差し込み係止されるので、内部の収納物品が差込み係止部に接触することがなく、収納物品が損傷することがないとともに、収納物品の取り出しの際の動作も支障なく行われる。
【００１０】
上記それぞれの考案の取付け具は、内部にラップフィルム、クッキングシート、アルミホイル等の各種ロール体の収納ケースに好適に用いられ、また、ティッシュケース、キッチンペーパーケース、コットンケース等にも用いられる。
【００１１】
上記それぞれの考案の取付け具は、塩化ビニール樹脂やＡＢＳ樹脂、さらに、金属材などの適宜の材料によって形成される。取付け具の壁面等への取付け構造は、マグネットや粘着層等の適宜の構造が採用される。
【考案の効果】
【００１２】
それぞれの考案の取付け具によれば、物品収納ケースを大きくしたり収納物品を小形としたりすることなく、収納物品と取付け具の差込み係止部との接触を確実に無くすことができ、これにより、取付け具を使用した際において、収納物品が損傷することがないとともに、収納物品の取り出しの際の動作も支障なく行われるようになる。
ようになる。
【図面の簡単な説明】
【００１３】
【図１】この考案の取付け具の第１の実施形態の表面側斜視図を示す。
【図２】この考案の取付け具の第１の実施形態の取付け説明図を示す。
【図３】この考案の取付け具の第１の実施形態の取付け説明断面図を示す。
【図４】この考案の取付け具の第２の実施形態の裏面側斜視図を示す。
【図５】この考案の取付け具の第２の実施形態の側面図を示す。
【図６】この考案の取付け具の第２の実施形態の取付け説明図を示す。
【図７】この考案の取付け具の第２の実施形態の取付け説明断面図を示す。
【図８】この考案の取付け具の第３の実施形態の裏面側斜視図を示す。
【図９】この考案の取付け具の第３の実施形態の取付け説明図を示す。
【図１０】この考案の取付け具の第３の実施形態の取付け説明断面図を示す。
【図１１】この考案の取付け具の第４の実施形態の裏面側斜視図を示す。
【図１２】この考案の取付け具の第４の実施形態の取付け説明図を示す。
【図１３】この考案の取付け具の第４の実施形態の取付け説明断面図を示す。
【図１４】この考案の取付け具の第５の実施形態の表面側斜視図を示す。
【図１５】この考案の取付け具の第５の実施形態の取付け説明図を示す。
【図１６】この考案の取付け具の第５の実施形態の取付け説明部分斜視図を示す。
【考案を実施するための形態】
【００１４】
以下、第１から第４の実施形態が請求項１の考案に係り、第５の実施形態が請求項２の考案に係る。
【００１５】
図１はこの考案の取付け具の第１の実施形態の表面側斜視図である。取付け具１は、樹脂製の本体部３の表面側にマグネットシート５が貼り付けられて構成されている。本体部３はバー形態で、その両方の端部４のそれぞれにはその先端中央にノッチ６が形成されるとともに、端部４それぞれの両側には差込み係止部７のそれぞれが段部８それぞれを介して外方に突出するように一体に設けられている。
【００１６】
図２、図３は取付け具１の使用状態を示す。取付け具１は、長尺のラップケース（物品収納ケース）１２の底面部１３の外面の中央に水平方向に装着使用される。ラップケース１２の底面部１３の係止孔１４のそれぞれに差込み係止部７のそれぞれが差し込み係止され、本体部３の底面がケース１２の底面部１３の外面に当接する状態に装着される。上記の差込み係止部７の係止孔１４それぞれへの差し込みは、上部と下部の差込み係止部７が順次差し込まれて行われるが、上部の差込み係止部７を差し込み次に下部の差込み係止部７を差し込む際には、端部４を上下方向において若干湾曲させる必要があり、その湾曲はノッチ６が有ることで容易になされる。取付け具１が装着されたラップケース１２は、取付け具１のマグネットシート５が吸着されることで、金属製の壁面や扉面、また、冷蔵庫ドア面等に取付けられて使用される。
【００１７】
上記取付け具１の装着状態において、差込み係止部７のそれぞれは端部４のそれぞれの上部と下部から外方に突出するように設けられているので、差込み係止部７のそれぞれはラップケース１２の底面部１３内面の上部と下部に沿うように位置し、差込み係止部７のそれぞれがラップロール体２０（収納物品）の後端部２１とは相対近接することがなく、これにより差込み係止部７のそれぞれがラップロール体２０に接触することはない。
【００１８】
図４はこの考案の取付け具の第２の実施形態の裏面側斜視図、図５は側面図である。取付け具３１は、樹脂製の本体部３３の表面側にマグネットシート３５が貼り付けられて構成されている。本体部３３は長方形のプレート形態で、その裏面の上縁と下縁との両端に近い位置それぞれに、鈎係止構造を持つ差込み係止部３６のそれぞれが突出形成されている。
【００１９】
図６、図７は取付け具３１の使用状態を示す。取付け具３１は、長尺のラップケース４２の底面部４３の外面の中央に水平方向に装着使用される。ラップケース４２の底面部４３の上縁、下縁に形成された係止孔４１のそれぞれに差込み係止部３６のそれぞれが差し込み係止され、本体部３３の底面がラップケース４２の底面部４３の外面に当接する状態に装着される。取付け具３１が装着されたラップケース４２は、取付け具３１のマグネットシート３５が吸着されることで、金属製の壁面や扉面、また、冷蔵庫ドア面等に取付けられて使用される。
【００２０】
上記取付け具３１の装着状態において、取付け具３１の本体部３３の縦寸法がラップケース４２の縦寸法とほぼ等しく、差込み係止部３６のそれぞれが本体部３３の上縁と下縁から突出していることで、差込み係止部３６のそれぞれはラップケース４２の側面部４４と側面部４５との後部内面に近接して位置するので、差込み係止部３６それぞれがラップロール体４６の後端部４７とは相対近接することがなく、これにより差込み係止部３６それぞれがラップロール体４６に接触することはない。
【００２１】
図８はこの考案の取付け具の第３の実施形態の裏面側斜視図である。取付け具５１は、樹脂製の本体部５３の表面側にマグネットシート５５が貼り付けられて構成されている。本体部５３は長方形のプレート形態で、その一方側の上縁と下縁と、他方側の側縁に、鈎係止構造を持つ差込み係止部５６のそれぞれが裏側方向に突出形成されている。
【００２２】
図９、図１０は取付け具５１の使用状態を示す。取付け具５１は長尺のラップケース６２に対し２個使用され、ラップケース６２の底面部６３の両端位置それぞれに装着使用される。ラップケース６２の底面部６３の上縁、下縁、側縁に形成された係止孔６１のそれぞれに差込み係止部５６のそれぞれが差し込み係止され、本体部５３の底面がラップケース６２の底面部６３の外面に当接する状態に装着される。取付け具５１が装着されたラップケース６２は、取付け具５１のマグネットシート５５が吸着されることで、金属製の壁面や扉面、また、冷蔵庫ドア面等に取付けられて使用される。
【００２３】
上記取付け具５１の装着状態において、取付け具５１の本体部５３の縦寸法がラップケース６２の縦寸法とほぼ等しく、差込み係止部５６それぞれが本体部５３の上縁と下縁と側縁とから突出していることで、上縁と下縁から突出する差込み係止部５６それぞれはラップケース６２の側面部６３と側面部６４との後部内面に沿って位置するのでラップロール体６５の後端部６７とは相対近接することがなく、側縁から突出する差込み係止部５６は側面部６６の後部内面に沿うように位置するのでラップロール体６５の側端の外側に位置し、これにより差込み係止部５６のそれぞれがラップロール体６５に接触することはない。
【００２４】
図１１はこの考案の取付け具の第４の実施形態の裏面側斜視図である。取付け具７１は、樹脂製の本体部７３の表面側にマグネットシート７５が貼り付けられて構成されている。本体部７３は長方形のプレート形態で、その一方側の上縁と下縁とに鈎係止構造を持つ差込み係止部７６のそれぞれが突出形成され、側縁に側方に突出する一対の差込み係止部７７のそれぞれが突出形成されている。
【００２５】
図１２、図１３は取付け具７１の使用状態を示す。取付け具７１は長尺のラップケース８２に対し２個使用され、ラップケース８２の底面部８３の両端位置それぞれに装着使用される。ラップケース８２の底面部８３の上縁、下縁と、側縁から内方に位置する部位に形成された係止孔８１のそれぞれに差込み係止部７６、７７のそれぞれが差し込み係止され、本体部７３の底面部８３の外面がラップケース８２背面に当接する状態に装着される。取付け具７１が装着されたラップケース８２は、取付け具７１のマグネットシート７５が吸着されることで、金属製の壁面や扉面、また、冷蔵庫ドア面等に取付けられて使用される。
【００２６】
上記取付け具７１の装着状態において、取付け具７１の本体部７３の縦寸法がラップケース８２の縦寸法とほぼ等しく、２個の差込み係止部７６のそれぞれが本体部７３の上縁と下縁とから突出していることで、それら差込み係止部７６のそれぞれはラップケース８２の側面部８４と側面部８５の後部内面に沿って位置し、ラップロール体８８の後端部８９とは相対近接しない。また、差込み係止部７７のそれぞれは底面部８３の内面に沿って位置するが、それぞれの差込み係止部７７が離れて位置しているので、その間にラップロール体８８の後端部８９が臨んで位置する。このようにして差込み係止部７６、７７それぞれはラップロール体８８に接触することはない。
【００２７】
図１４はこの考案の物品収納ケースの取付け具の第５の実施形態の表面側斜視図である。取付け具９１において、樹脂製の本体部９３は当接部９４と当接部９５とからなる折れ曲がり形状で、当接部９４の表面側にマグネットシート９６が貼り付けられて取付けられている。当接部９４は長方形のプレート形態で、その一方の側縁に沿って差込み係止部９８が裏側に突出形成され、当接部９５にはその先縁に沿って立ち上がり部９９が形成され、その立ち上がり部９９の一方の側端部は当接部９４側に折り曲がる差込み係止部１００となっている。
【００２８】
図１５、図１６は取付け具９１の使用状態を示す。取付け具９１は長尺のラップケース１０２に対し２個使用され、ラップケース１０２の底面部１０３の両端位置それぞれに装着使用される。取付け具９１は当接部９５上にラップケース１０２の端部が載置される状態において、差込み係止部９８がラップケース１０２の端部の側面部１０７を形成する厚紙片の重ね部間１０４に後方から差し込み係止され、差込み係止部１００がラップケース１０２端部の側面部１０７を形成する厚紙片の重ね部間１０４に前方から差し込み係止されて装着される。取付け具９１が装着されたラップケース１０２は、取付け具９１のマグネットシート９６が吸着されることで、金属製の壁面や扉面、また、冷蔵庫ドア面等に取付けられて使用される。
【００２９】
上記取付け具９１の装着状態において、差込み係止部９８、１００がともにラップケース１０２端部の側面部１０７を形成する厚紙片の重ね部間１０４に差し込み係止されてラップケース１０２内に入り込まないことで、差込み係止部９８、１００がラップケース１０２内のラップロール体に接触することはない。
【符号の説明】
【００３０】
１    取付け具
３    本体部
５    マグネットシート
７    差込み係止部
１２  ラップケース（物品収納ケース）
２０  ラップロール体（収納物品）
【図１】
0003189030.tif 000003
【図２】
0003189030.tif 000004
【図３】
0003189030.tif 000005
【図４】
0003189030.tif 000006
【図５】
0003189030.tif 000007
【図６】
0003189030.tif 000008
【図７】
0003189030.tif 000009
【図８】
0003189030.tif 000010
【図９】
0003189030.tif 000011
【図１０】
0003189030.tif 000012
【図１１】
0003189030.tif 000013
【図１２】
0003189030.tif 000014
【図１３】
0003189030.tif 000015
【図１４】
0003189030.tif 000016
【図１５】
0003189030.tif 000017
【図１６】
0003189030.tif 000018